(57)【要約】【課題】  ダイヤル回線にノイズが印加されたり制御系からダイヤル回線までの回路に故障が生じても正常なダイヤルパルスを送信することができる通信装置を提供する。【解決手段】  付属電話機２のダイヤルを廻すと回線電圧検出部５が電話回線３の電圧の監視を開始する。ダイヤルパルス発生部４がダイヤル番号に対応したダイヤルパルスを電話回線３へ送出する。この送出終了後、回線電圧検出部５は所定の電圧レベルのダイヤルパルス数をカウントアップして回線電圧の監視を終了する。制御部１０が、ダイヤルパルス発生部４の送出したダイヤルパルスの送出番号と回線電圧検出部５の電圧監視結果（所定電圧レベルのダイヤルパルスのカウント数）とを比較し、ダイヤルパルスの送出番号と所定電圧レベルのダイヤルパルスのカウント数が同じであれば、そのダイヤルパルスの送信を継続させる。【選択図】      図１
2006129291.tif 000002
【特許請求の範囲】
【請求項１】
電話機のダイヤルパルスを電話回線へ送出する通信装置であって、
前記電話機のダイヤル番号に対応した番号対応ダイヤルパルスを発生させるダイヤルパルス発生手段と、
前記電話回線の電圧を検出し、所定の電圧レベルの電圧対応ダイヤルパルスをカウントする回線電圧検出手段と、
前記ダイヤルパルス発生手段が発生させた番号対応ダイヤルパルスと前記回線電圧検出手段がカウントした電圧対応ダイヤルパルスとを比較するダイヤルパルス確認手段とを備え、
前記ダイヤルパルス確認手段は、前記番号対応ダイヤルパルスの発生数と前記電圧対応ダイヤルパルスのカウント数とが同一であるときのみ、前記番号対応ダイヤルパルスを前記電話回線へ送出することを特徴とする通信装置。
【請求項２】
電話機のダイヤルパルスを電話回線へ送出する通信装置の通信方法であって、
前記電話機のダイヤル操作を行ったときに前記電話回線の電圧を監視するステップと、
前記電話機のダイヤル番号に対応した番号対応ダイヤルパルスを発生させるステップと、
前記電話回線の電圧を監視しながら所定の電圧レベルの電圧対応ダイヤルパルスをカウントするステップと、
前記番号対応ダイヤルパルスの発生数と前記電圧対応ダイヤルパルスのカウント数とを比較するステップと、
前記番号対応ダイヤルパルスの発生数と前記電圧対応ダイヤルパルスのカウント数とが同一のときのみ、前記番号対応ダイヤルパルスを前記電話回線へ送出するステップと、
を含むことを特徴とする通信装置の通信方法。
【発明の詳細な説明】
【技術分野】
【０００１】
本発明は、電話機を接続することができるファクシミリ装置などの通信装置等に関し、特に、電話機から送出されるダイヤルパルスが正常か否かを監視する監視機能を備えた通信装置、およびその通信装置の通信方法に関する。
【背景技術】
【０００２】
従来より、電話機から送出されるダイヤルパルスの波形歪によって生じるダイヤル信号の判断ミスを防止することができる通信装置が知られている（例えば、特許文献１参照）。この技術は、ダイヤルパルスを送出する端末（電話機）に対して並列に接続されたＣＩ検出回路がダイヤルパルスの歪の状態を監視し、ダイヤルパルスが歪まないような制御を行うように構成されている。これによって、電話機から常に正常なダイヤル信号を送信することができる。
【特許文献１】特開平０６−３３８９７６号公報
【発明の開示】
【発明が解決しようとする課題】
【０００３】
しかしながら、上記の従来技術において電話機からダイヤルパルスを送出する際には、ダイヤルパルスを生成する制御系が正常であっても、回線などによってノイズが印加したり、制御系から回線までの通信装置上の回路が故障したりするなどの要因によって、歪みの存在するダイヤルパルスが送出されることがある。このような場合には、電話回線が異なる発信先に接続されるなどの誤接続が生じるおそれもある。
【０００４】
本発明は、以上のような問題点に鑑みてなされたものであり、ダイヤル回線にノイズが印加されたり制御系からダイヤル回線までの回路に故障が生じても、ダイヤル回線を通じて正常なダイヤルパルスを送信することができる通信装置、および通信装置の通信方法を提供することを目的とする。
【課題を解決するための手段】
【０００５】
本発明の通信装置は、前記の目的を達成するために創案されたものであり、電話機のダイヤルパルスを電話回線へ送出する通信装置であって、電話機のダイヤル番号に対応した番号対応ダイヤルパルスを発生させるダイヤルパルス発生手段と、電話回線の電圧を検出し、所定の電圧レベルの電圧対応ダイヤルパルスをカウントする回線電圧検出手段と、ダイヤルパルス発生手段が発生させて番号対応ダイヤルパルスと回線電圧検出手段がカウントした電圧対応ダイヤルパルスとを比較するダイヤルパルス確認手段とを備え、ダイヤルパルス確認手段は、番号対応ダイヤルパルスの発生数と電圧対応ダイヤルパルスのカウント数とが同一であるときのみ、番号対応ダイヤルパルスを電話回線へ送出するように構成した。
【０００６】
かかる構成によれば、ダイヤルパルス発生手段が発生させたダイヤル番号に対応する番号対応ダイヤルパルスと回線電圧検出手段がカウントした所定の電圧レベルの電圧対応ダイヤルパルスとが一致したときのみ、番号対応ダイヤルパルスを電話回線に送出している。このため、ノイズが混入されていない真のダイヤルパルスのみを相手先電話に送信することができるので、誤接続のおそれはなくなる。
【０００７】
また、本発明による通信装置の通信方法は、電話機のダイヤルパルスを電話回線へ送出する通信装置の通信方法であって、電話機のダイヤル操作を行ったときに電話回線の電圧を監視するステップと、電話機のダイヤル番号に対応した番号対応ダイヤルパルスを発生させるステップと、電話回線の電圧を監視しながら所定の電圧レベルの電圧対応ダイヤルパルスをカウントするステップと、番号対応ダイヤルパルスの発生数と電圧対応ダイヤルパルスのカウント数とを比較するステップと、番号対応ダイヤルパルスの発生数と電圧対応ダイヤルパルスのカウント数とが同一のときのみ、番号対応ダイヤルパルスを前記電話回線へ送出するステップとを含むことを特徴とする。
【０００８】
かかる通信方法によれば、電話回線にノイズなどが混入した場合は、番号対応ダイヤルパルスの発生数と電圧対応ダイヤルパルスのカウント数が一致しないのでダイヤルパルスが電話回線へ送出されることはない。そのため、電話機がノイズなどによって誤接続されるおそれはなくなる。
【発明の効果】
【０００９】
本発明の通信装置によれば、ダイヤルパルスが正しく送出されているか否かを常に確認しているため、ノイズの混入などによってダイヤルパルスが誤送信されることを防止することができる。これによって、常に、電話機を正常な相手先へ接続させることができるので不作為な迷惑電話を防止することができる。
【発明を実施するための最良の形態】
【００１０】
＜発明の概要＞
本発明の通信装置は、ダイヤルパルスを電話回線へ送出する機能と、電話回線の電圧を検出・監視する機能と、電話回線に送出されたダイヤルパルスと電話回線の電圧とを監視しながら、送出されたダイヤルパルスが同一の電圧レベルのパルスであるか否かを確認する機能とを有している。これによって、ダイヤルパルスが正常な場合（つまり、同一の電圧レベルの場合）は通信を継続させ、ダイヤルパルスが異なっている場合（つまり、ダイヤルパルスの電圧レベルの異なる場合）は直ちに通信を停止させることができる。したがって、本発明の通信装置によれば、ノイズが電話回線に混入して誤接続されるような事態を防止することができる。
【００１１】
すなわち、電話回線では、電話機のダイヤル番号に応じて、例えば“１”は１回のパルス信号（つまり、受話器を瞬間的に置いた場合と同じ信号）、“４”は４回のパルス信号、“０”は１０回のパルス信号を送出するが、このとき一瞬のノイズもカウントしてしまうことがある。そこで、本発明の通信装置では、電話回線の電圧レベルとダイヤルパルスとを比較することにより、電話回線を通じた正常なダイヤルパルスのみを正確に認識するようにしている。
【００１２】
＜実施の形態＞
以下、図面を参照しながら、本発明における通信装置の実施の形態について詳細に説明する。図１は、本発明における通信装置の構成を示すブロック図である。図１に示すファクシミリ装置などの通信装置１は付属電話機２に接続されると共に公衆の電話回線３に接続されている。そして、通信装置１は、電話機のダイヤル番号に対応したダイヤルパルスを発生させて電話回線３に送出するダイヤルパルス発生部（ダイヤルパルス発生手段）４と、電話回線３の電圧（すなわち、ダイヤルパルスの電圧）を検出し、所定の電圧レベルのダイヤルパルスをカウントする回線電圧検出部（回線電圧検出手段）５と、電話回線３を通じて相手先の電話機からの呼び出し信号を検出するリンガー信号検出部６と、付属電話機２の受話器の置いたときに回線が閉じられるスイッチ機構７と、電話回線３を利用してデータ通信を行うモデム８と、電話回線３とモデム８とを通信接続する回線・モデムインターフェース９と、通信装置１の各要素の制御を行うと共に、ダイヤルパルス発生部４が発生させたダイヤルパルスと回線電圧検出部５がカウントしたダイヤルパルスとを比較する制御部（ダイヤルパルス確認手段）１０とを備えた構成となっている。
【００１３】
すなわち、本発明における通信装置１は、従来の通信装置に対して回線電圧検出部５が新たに追加された構成となっていると共に、制御部１０が電話回線３に送出されたダイヤルパルスと電話回線３の電圧とを常時監視してダイヤルパルスが正常なパルスであるか否かを確認する機能が付加された構成となっている。言い換えれば、回線電圧検出部５が、ダイヤルパルス発生部４が発生させたダイヤルパルスのパルス電圧を検出して、付属電話機２のダイヤル操作によってダイヤルパルス発生部４が発生させたダイヤルパルスの電圧であるか否かを監視している。
【００１４】
これによって、電話回線３にノイズなどが印加した場合は、回線電圧検出部５はダイヤルパルスのパルス信号電圧と異なる電圧を検出するので、正常なダイヤルパルスとノイズとを確実に弁別することができる。このようにして、通信装置１は正常なダイヤルパルスのみをカウントして電話回線３を通じて相手先の電話機などへ送信するので、ノイズなどによって誤接続されるおそれはなくなる。
【００１５】
つまり、通常の電話回線３の使用電圧は４８ｖであるので、回線電圧検出部５が検出する正常なダイヤルパルスの電圧は常に４８ｖである。一方、電話回線３に印加されるノイズの電圧レベルはランダムであって同じ電圧レベルを続けて検出することは殆んどあり得ない。これによって、同じ電圧（４８ｖ）のダイヤルパルスを検出したときのみ正常なダイヤルパルスと判定する。
【００１６】
図２は、図１に示す通信装置１におけるダイヤルパルスの送信処理の流れを示すフローチャートである。まず、付属電話機２のダイヤルを廻すと回線電圧検出部５が電話回線５の電圧の監視を開始する（ステップＳ１）。さらに、ダイヤルパルス発生部４がダイヤル番号に対応したダイヤルパルスを電話回線３へ送出する（ステップＳ２）。そして、ダイヤルパルスの送出が終了すると、回線電圧検出部５は、所定の電圧レベル（４８ｖ）のダイヤルパルス数をカウントアップして回線電圧の監視を終了する（ステップＳ３）。
【００１７】
そして、制御部１０が、ダイヤルパルス発生部４の送出したダイヤルパルスの送出番号と回線電圧検出部５の電圧監視結果（つまり、所定電圧レベルのダイヤルパルスのカウント数）とを比較し（ステップＳ４）、ダイヤルパルスの送出番号と所定電圧レベルのダイヤルパルスのカウント数が同じであれば、そのダイヤルパルスの送信を継続させる（ステップＳ５）。つまり、一定の電圧レベルで、ダイヤル“１”の場合は１回のダイヤルパルス番号が送出され、ダイヤル“２”の場合は２回のダイヤルパルス番号が送出され、ダイヤル“０”の場合は１０回のダイヤルパルス番号が送出されるときは、それらのダイヤルパルスの送信を継続させる。
【００１８】
一方、ステップＳ４の、ダイヤルパルス発生部４の送出したダイヤルパルスの送出番号と回線電圧検出部５の電圧監視結果との比較において、ダイヤルパルスの送出番号と所定電圧レベルのダイヤルパルスのカウント数が異なっていれば、制御部１０は、ダイヤルパルスの送出番号とは異なるパルス回数をカウントアップし（ステップＳ６）、異なるパルス回数が所定数以上であるか否かを判定する（ステップＳ７）。ここで、異なるパルス回数のカウントアップ値が所定数以上でなければ、つまり所定数に満たなければ（ステップＳ７でＮｏの場合）、ステップＳ２に戻って、再度ダイヤルを廻しなおしてダイヤルパルスを再送して前述と同様のステップを繰り返す。
【００１９】
また、ステップＳ７において、異なるパルス回数のカウントアップ値が所定数以上であれば（ステップＳ７でＹｅｓの場合）、正常なダイヤルパルスにノイズが混入したものと判断してダイヤルパルスの送信を停止する（ステップＳ８）。このようにして、ダイヤルパルス発生部４が電話回線３に対してダイヤル番号に対応したダイヤルパルスを発生させ、回線電圧検出部５がダイヤルパルスの電圧レベルを監視しながら所定の電圧レベルのダイヤルパルスのみをカウントし、制御部１０が所定の電圧レベルのダイヤルパルスが送出番号の通りに送出されているかを監視することにより、ノイズの除去された正常なダイヤルパルスのみを電話回線３へ送出することができる。
【産業上の利用可能性】
【００２０】
本発明の通信装置によれば、ノイズを除去した正常なダイヤルパルスによって通信を行うことができるので、汎用性のあるファクシミリ装置等の通信装置を提供することができる。
【図面の簡単な説明】
【００２１】
【図１】本発明における通信装置の構成を示すブロック図である。
【図２】図１に示す通信装置におけるダイヤルパルスの送信処理の流れを示すフローチャートである。
【符号の説明】
【００２２】
１    通信装置
２    付属電話機
３    電話回線
４    ダイヤルパルス発生部（ダイヤルパルス発生手段）
５    回線電圧検出部（回線電圧検出手段）
６    リンガー信号検出部
７    スイッチ機構
８    モデム
９    回線・モデムインターフェース
１０  制御部（ダイヤルパルス確認手段）
【図１】
2006129291.tif 000003
【図２】
2006129291.tif 000004